(57)【要約】【課題】電話回線を用いてＦＡＸ通信を行う場合、電話回線とモデム間に設けられる絶縁結合手段を小型化できる通信端末装置を提供する。【解決手段】ファクシミリ装置１００は電話回線のラインＬ１，Ｌ２がトランス１１０，１２０を介してモデム１４０と接続されている。ファクシミリ装置１００は音声帯域の周波数よりも高い高周波数信号を生成する局部発振器２００，３００と、局部発振器２００，３００が発生した高周波数信号を、電話回線とモデム間に流れる信号に混合して周波数変換を行うミキサ２１０，３１０を備える。【選択図】        図１
2005136734.tif 000002
【特許請求の範囲】
【請求項１】
電話回線が絶縁結合手段を介してモデムと接続される通信端末装置において、音声帯域の周波数よりも高い高周波数信号を生成する信号発生手段と、前記信号発生手段が発生した高周波数信号を、前記電話回線とモデム間に流れる信号に混合して周波数変換を行う周波数変換手段とを備えたことを特徴とする通信端末装置。
【請求項２】
前記周波数変換手段は、前記絶縁結合手段のモデム側に接続されていることを特徴とする請求項１に記載の通信端末装置。
【請求項３】
前記周波数変換手段は、前記モデム側にて複数個直列に配置されており、複数段階で前記電話回線とモデム間に流れる信号の周波数を変換することを特徴とする請求項１又は請求項２に記載の通信端末装置。
【発明の詳細な説明】
【技術分野】
【０００１】
本発明は、電話回線を用いてファクシミリ通信を行う通信端末装置に関する。
【背景技術】
【０００２】
電話回線を用いてファクシミリ通信（以下、ＦＡＸ通信という）を行う従来の通信端末装置は、例えば、特許文献１に開示されている。この通信端末装置であるファクシミリ装置を図３を参照して説明する。図３は外部ループにて通話回路を持つファクシミリ装置の概略回路図を示したものである。図において、ライン１，２の電話回線８はトランス１０の一次側に接続され、トランス１０の二次側にアンプ１１，１２で構成された２線−４線変換回路１６、モデム１３を介してＦＡＸエンジン１４が接続されている。
【０００３】
又、トランス１０の一次側ライン２に、ＦＡＸと電話とを切り換える切換スイッチ１５が接続されると共に電話機用の通話回路１６Ａが接続され、その通話回路１６Ａに、スピーカ１７とマイク１８を備えたハンドセット１９が接続され、そのハンドセット１９で動作されるフックスイッチ２０のＯＮ／ＯＦＦ信号がＦＡＸエンジン１４に入力される。又、ライン１と切換スイッチ１５のブレークＢ側に着信を示すリング信号を検出するディテクター２１が接続され、そのディテクター２１の検出信号がＦＡＸエンジン１４に入力される。
【０００４】
通常、切換スイッチ１５は、ブレークＢ側にあり、ディテクター２１がリング信号を検出して通常の電話のときは、ブレークＢ側に保持して、ライン１，２の電話回線と電話機用の通話回路１６Ａとがつながりハンドセット１９を取ることで通話が行える。又、ＦＡＸ通信の場合、切換スイッチ１５をメークＭ側に切り換えることで、ライン１，２はトランス１０の一次側で閉ループとなり、ライン１，２からのＦＡＸデータが二次側（モデム側）よりアンプ１２、モデム１３を通してＦＡＸエンジン１４に送られ、またＦＡＸ送信時のデータがアンプ１１よりトランス１０を介してライン１，２に送信される。
【０００５】
上記のような通信端末装置において、電話回線を用いたＦＡＸ通信では、音声帯域（０．２〜３．４ＫＨｚ）により、データ通信を行っている。そして、電話回線側とモデム側とは絶縁する必要があるため、電話回線とモデム間は、トランス１０を用いている。
【特許文献１】特開平１１−８８５３６号公報
【発明の開示】
【発明が解決しようとする課題】
【０００６】
しかし、電話回線を用いたＦＡＸ通信で、周波数が低い音声帯域を使用しているため、トランス１０のインダクタンスを大きくする必要があり、トランスが大型化する問題があった。このように電話回線とモデム間を絶縁するトランスのような絶縁結合手段は、従来は、大型となっているため、小型化が要望されている。
【０００７】
本発明の目的は、電話回線を用いてＦＡＸ通信を行う場合、電話回線とモデム間に設けられる絶縁結合手段を小型化できる通信端末装置を提供することにある。
【課題を解決するための手段】
【０００８】
上記問題点を解決するために、請求項１に記載の発明は、電話回線が絶縁結合手段を介してモデムと接続された通信端末装置において、音声帯域の周波数よりも高い高周波数信号を生成する信号発生手段と、前記信号発生手段が発生した高周波数信号を、前記電話回線とモデム間に流れる信号に混合して周波数変換を行う周波数変換手段とを備えたことを特徴とする通信端末装置を要旨とするものである。
【０００９】
請求項２の発明は、請求項１において、前記周波数変換手段は、前記絶縁結合手段のモデム側に接続されていることを特徴とする。
請求項３の発明は、請求項１又は請求項２において、前記周波数変換手段は、前記モデム側にて複数個直列に配置されており、複数段階で前記電話回線とモデム間に流れる信号の周波数を変換することを特徴とする。
【発明の効果】
【００１０】
請求項１乃至請求項３の発明によれば、音声帯域の信号の周波数よりも高い高周波数信号を使用するため、電話回線とモデムとを結合する絶縁結合手段を小型化することができる。
【００１１】
請求項２の発明によれば、周波数変換手段が絶縁結合手段のモデム側に接続されているため、信号発生手段と、周波数変換手段との間で絶縁をとる必要が無くなる。
【発明を実施するための最良の形態】
【００１２】
（第１実施形態）
以下、本発明の通信端末装置をファクシミリ装置に具体化した一実施形態を図１を参照して説明する。図１はファクシミリ装置１００の概略回路図を示している。
【００１３】
ファクシミリ装置１００は、接続端子（外線端子）に、電話回線のラインＬ１，Ｌ２が接続されている。ファクシミリ装置１００は、図１に図示した構成以外に図示はしないが画像データを記録紙に印字出力する印字出力部、原稿を読取走査して画像データに変換する読取走査部、液晶画面等で構成された表示部、テンキー等の各種操作キーを有した操作部、画像データを蓄積する画像メモリ等を備える。ファクシミリ装置１００の前記印字出力部、読取走査部、表示部、画像メモリ等はＣＰＵ１５０（ＦＡＸエンジン）などで構成された信号処理部によって制御される。図１に示すようにファクシミリ装置１００は、電子化チョーク回路ＤＣ、終端回路ＡＣ、ハイパスフィルタＨＰＦ、トランス１１０、１２０、エコーキャンセル回路１３０、モデム１４０、ミキサ２１０、３１０、局部発振器２００、３００を備えている。又、ファクシミリ装置１００は、トーン検出回路、着信検出回路、ＤＰ（ダイヤルバルス）送出回路（図示しない）等を備えているが、本発明の要部ではないため、説明を省略する。なお、前記ミキサ２１０，３１０は、本発明の周波数変換手段に相当し、局部発振器２００，３００は本発明の信号発生手段に相当する。
【００１４】
電子化チョーク回路ＤＣは、電話回線のラインＬ１、Ｌ２に対してファクシミリ装置１００の接続端子１０１，１０２を介して接続されている。電子化チョーク回路ＤＣは、交流成分には高抵抗、直流成分には低抵抗を成し、局側に直流ループを形成するための回路である。終端回路ＡＣは、交流成分に対してはオープン、かつ直流成分に対しては終端に見えるようにインピーダンスが設定されている。従って、終端回路ＡＣでは直流ループを形成することはできない。ＣＭＬリレースイッチ１１５は、電話回線のラインＬ１と、絶縁結合手段としてのトランス１１０，１２０に接続されているモデム１４０との接続を切り換える。
【００１５】
ハイパスフィルタＨＰＦは、電話回線のラインＬ１、Ｌ２と、トランス１１０，１２０間を流れる信号のうち遮断周波数以上の周波数の信号だけを通過させ，遮断周波数未満の周波数の信号を減衰させる。トランス１１０は、送信用であり、その一次側はコンデンサＣを介してを介してハイパスフィルタＨＰＦに接続されている。トランス１１０の二次側はエコーキャンセル回路１３０に接続されている。エコーキャンセル回路１３０は、入力された信号の伝送遅延を予測して「近端漏話」及び「遠端漏話」の干渉を削減する公知の機能を有する。局部発振器２００は、音声帯域（０．２〜３．４ＫＨｚ）よりも周波数が高い周波数の信号を生成し、エコーキャンセル回路１３０から出力された信号に該信号をミキサ２１０にて混合（アップコンバート）する。すなわち、ミキサ２１０は、エコーキャンセル回路１３０から出力された信号の周波数を高周波数にアップし、トランス１１０に入力する。なお、本明細書で、トランスの一次側とは、電話回線に接続される側をいう。
【００１６】
トランス１２０は、受信用であり、その一次側は、ハイパスフィルタＨＰＦに接続されている。局部発振器３００は、音声帯域（０．２〜３．４ＫＨｚ）よりも周波数が高い周波数の信号を生成し、トランス１２０の二次側から出力された信号に該信号をミキサ３１０にて混合（ダウンコンバート）する。すなわち、ミキサ３１０は、トランス１２０の二次側から出力された信号の周波数を下げて、エコーキャンセル回路１３０に出力する。局部発振器２００，３００は、互いに同じＭＨｚオーダの周波数の信号を発生する。このように、本実施形態は、高周波数信号を低周波数である音声帯域の信号に混合するミキサ２１０，３１０を備えることにより、低周波数である音声帯域の信号を取り出すヘテロダイン方式の受信方式とされている。
【００１７】
モデム１４０は、エコーキャンセル回路１３０から入力された信号（データ）又は、ＣＰＵ１５０から入力された信号（データ）、すなわち、相手先のファクシミリ装置との間で送受信されるファクシミリデータを変調、復調する。
【００１８】
上記のように構成されたファクシミリ装置１００は、電話回線のラインＬ１がモデム側に接続されていない状態から、ＣＰＵ１５０の制御によりＣＭＬリレースイッチ１１５がオンとなると、通信状態となり、電子化チョーク回路ＤＣを含む直流ループ回路が成立する。
【００１９】
この状態で、通信相手のファクシミリ装置に対してファクシミリ装置１００がファクシミリデータを送信する場合、ＣＰＵ１５０からのファクシミリデータがモデム１４０にて音声帯域の周波数を備えた信号に変調され、エコーキャンセル回路１３０に出力される。エコーキャンセル回路１３０にて「近端漏話」及び「遠端漏話」の干渉が削減された信号は、ミキサ２１０にて、周波数がアップコンバートされ、トランス１１０、コンデンサＣ、ハイパスフィルタＨＰＦを介して、電話回線のラインに送信される。
【００２０】
次に、通信相手のファクシミリ装置からファクシミリ装置１００がファクシミリデータを受信する場合について説明する。なお、通信相手のファクシミリ装置も、ファクシミリ装置１００と同一構成を備えているものとする。
【００２１】
電話回線のラインから、ハイパスフィルタＨＰＦ、トランス１２０を介して、受信した信号は、ミキサ３１０にて、周波数がダウンコンバートされ、エコーキャンセル回路１３０に出力される。エコーキャンセル回路１３０に出力された信号は、「近端漏話」及び「遠端漏話」の干渉が削減され、さらに、モデム１４０にて、復調され、ＣＰＵ１５０に入力される。
【００２２】
上記のように本実施形態では、数ＭＨｚ以上での高周波数でのデータ通信を可能としているため、トランス１１０，１２０のインダクタンスを大きくする必要がなくなり、トランスを小型化できる。又、ミキサ２１０，３１０をトランス１１０，１２０の二次側に設けたため、局部発振器２００，３００とミキサ２１０，３１０との間で、絶縁を取る必要がない。仮に、ミキサ２１０，３１０をトランス１１０，１２０の一次側に設けると、局部発振器２００，３００とミキサ２１０，３１０との間で、絶縁を取る必要がある。
【００２３】
（第２実施形態）
次に、第２実施形態を図２を参照して説明する。なお、第１実施形態と同一構成については、同一符号を付して、その説明を省略し、異なるところを中心に説明する。第１実施形態では、ヘテロダイン方式としたが、第２実施形態では、スーパーヘテロダイン方式を採用している。
【００２４】
ファクシミリ装置１００がファクシミリデータを受信する場合、ミキサ３３０は、第１ミキサとされている。逓倍回路３２０は、局部発振器３００が生成した信号をその周波数を２倍にして、ミキサ３３０に出力する。ミキサ３３０は、トランス１２０から出力された信号を、逓倍回路３２０から出力された信号にてダウンコンバートして、中間周波数の信号を生成するとともにミキサ３１０（第２ミキサ）に出力する。ミキサ３１０は、ミキサ３３０から出力された信号を、局部発振器３００から出力された信号にてダウンコンバートし、エコーキャンセル回路１３０に出力する。このように、第２実施形態では、ミキサ３１０，３３０は直列に接続されている。
【００２５】
一方、通信相手のファクシミリ装置に対してファクシミリ装置１００がファクシミリデータを送信する場合、エコーキャンセル回路１３０から入力された信号は、ミキサ２１０（第１ミキサ）にて、局部発振器２００からの高周波数の信号が混合されて周波数がアップコンバートされ、ミキサ２３０に出力される。逓倍回路２２０は局部発振器２００が生成した信号をその周波数を２倍にして、ミキサ２３０に出力する。ミキサ２３０は、ミキサ２１０から出力された信号を、逓倍回路２２０から出力された信号にてアップコンバートして、トランス１１０に出力する。このように、第２実施形態では、ミキサ２１０，２３０は直列に接続されている。
【００２６】
上記のように第２実施形態においても、数ＭＨｚ以上での高周波数でのデータ通信を可能としているため、トランス１１０，１２０のインダクタンスを大きくする必要がなくなり、トランスを小型化できる。本実施形態では、ミキサ２１０，２３０，３１０，３３０をトランス１１０，１２０の二次側に設けたため、局部発振器２００，３００，逓倍回路２２０，３２０とミキサ２１０，３１０との間で、絶縁を取る必要がない。
【００２７】
なお、本発明の実施形態は、前記実施形態に限定されるものではなく、絶縁結合手段をトランス１１０，１２０の代わりに、コンデンサに変更し、コンデンサカップリングを採用するようにしても良い。この場合においても、音声帯域の信号を使用する場合に比して、コンデンサ容量を、小さくすることができるため、絶縁結合手段であるコンデンサを小型化することができる。
【図面の簡単な説明】
【００２８】
【図１】第１実施形態のファクシミリ装置の概略回路図。
【図２】第２実施形態のファクシミリ装置の概略回路図。
【図３】従来のファクシミリの概略回路図。
【符号の説明】
【００２９】
１００…ファクシミリ装置（通信端末装置）、１１０，１２０…トランス（絶縁結合手段）、１４０…モデム、２００，３００…局部発振器（信号発生手段）、２１０，２３０，３１０，３３０…ミキサ（周波数変換手段）
【図１】
2005136734.tif 000003
【図２】
2005136734.tif 000004
【図３】
2005136734.tif 000005